(57)【要約】【課題】吊り下げて携行できる構成を採りながら、見て楽しむことができるとともに、タオルとして充分に機能するタオルを提供する。【解決手段】吊り下げ用金具７が上端部に設けられたタオルハンガー３を備える。タオルハンガー３の下端部に着脱可能に保持されてタオルハンガー３に吊り下げられたタオル本体２を備える。タオル本体２には、キャラクター人形Ａに関連する絵柄４が設けられている。タオルハンガー３は、前記絵柄４に関連するキャラクター人形Ａの一部となる形状に形成されている。【選択図】  図１
0003181842.tif 000002
【実用新案登録請求の範囲】
【請求項１】
吊り下げ用金具が上端部に設けられたタオルハンガーと、
前記タオルハンガーの下端部に着脱可能に保持されて前記タオルハンガーに吊り下げられたタオル本体とを備え、
前記タオル本体には、キャラクター人形に関連する絵柄が設けられ、
前記タオルハンガーは、前記絵柄に関連する前記キャラクター人形の一部となる形状に形成されていることを特徴とするタオル。
【請求項２】
請求項１記載のタオルにおいて、前記絵柄は、前記キャラクター人形の首から下の姿であり、
前記タオルハンガーの形状は、前記キャラクター人形の頭部の形状であることを特徴とするタオル。
【請求項３】
請求項１記載のタオルにおいて、前記絵柄は、前記キャラクター人形の顔の一部であり、
前記タオルハンガーの形状は、前記キャラクター人形の頭部に設けられる装飾品の形状であることを特徴とするタオル。
【請求項４】
請求項１ないし請求項３のうちいずれか一つに記載のタオルにおいて、前記タオル本体は、四角形状に形成され、
前記タオル本体における四箇所の角部のうちいずれか一つの角部にはハトメ金具が設けられ、
前記タオルハンガーにおける前記タオル本体を着脱可能に保持する部分は、前記タオル本体のハトメ金具を有する角部を挿入可能な溝と、
前記ハトメ金具に挿入可能な太さに形成されて前記溝内に架け渡された棒状部材とによって構成されていることを特徴とするタオル。
【考案の詳細な説明】
【技術分野】
【０００１】
本考案は、吊り下げて携行可能なタオルに関するものである。
【背景技術】
【０００２】
従来のこの種のタオルとしては、例えば特許文献１に記載されているものがある。特許文献１に開示されたハンドタオルは、複数のアップリケが設けられており、これらのアップリケが露出するように折り畳んで巻くことによって、マスコットを模した形状に形成されるものである。また、特許文献１中には、マスコットのように巻かれた状態で吊り下げることができるように、吊り紐を備えたハンドタオルも開示されている。
【先行技術文献】
【特許文献】
【０００３】
【特許文献１】特開２００１−３４０２５４号公報
【考案の概要】
【考案が解決しようとする課題】
【０００４】
しかしながら、特許文献１に記載されているハンドタオルでは、マスコットのようになる状態で吊り紐を使用して携行すると、見て楽しむことはできるが、ハンドタオルとしての機能が損なわれてしまうという問題があった。この理由は、折り畳まれて巻かれた状態のハンドタオルは、例えば濡れた手を簡単に拭くことはできないし、乾き難いものだからである。
【０００５】
本考案はこのような問題を解消するためになされたもので、吊り下げて携行できる構成を採りながら、見て楽しむことができるとともに、タオルとして充分に機能するタオルを提供することを目的とする。
【課題を解決するための手段】
【０００６】
この目的を達成するために、本考案に係るタオルは、吊り下げ用金具が上端部に設けられたタオルハンガーと、前記タオルハンガーの下端部に着脱可能に保持されて前記タオルハンガーに吊り下げられたタオル本体とを備え、前記タオル本体には、キャラクター人形に関連する絵柄が設けられ、前記タオルハンガーは、前記絵柄に関連する前記キャラクター人形の一部となる形状に形成されているものである。
【０００７】
本考案は、前記考案において、前記絵柄は、前記キャラクター人形の首から下の姿であり、前記タオルハンガーの形状は、前記キャラクター人形の頭部の形状であることを特徴とする。
【０００８】
本考案は、前記考案において、前記絵柄は、前記キャラクター人形の顔の一部であり、前記タオルハンガーの形状は、前記キャラクター人形の頭部に設けられる装飾品の形状であることを特徴とする。
【０００９】
本考案は、前記考案において、前記タオル本体は、四角形状に形成され、前記タオル本体における四箇所の角部のうちいずれか一つの角部にはハトメ金具が設けられ、前記タオルハンガーにおける前記タオル本体を着脱可能に保持する部分は、前記タオル本体のハトメ金具を有する角部を挿入可能な溝と、前記ハトメ金具に挿入可能な太さに形成されて前記溝内に架け渡された棒状部材とによって構成されていることを特徴とする。
【考案の効果】
【００１０】
本考案に係るタオルは、タオル本体がタオルハンガーに取付けられ、吊り下げ用金具が例えば使用者のベルトやバッグなどに取付けられることによって、タオル本体をタオルハンガーに吊り下げた状態で携行できるものである。タオル本体は、タオルハンガーに吊り下げられることによって展開した状態になる。
このため、例えば使用者が手を拭くときに拭き易いし、タオル本体に吸い取られた水分が蒸発し易くなる。
【００１１】
また、タオルハンガーとタオル本体は、これらを見た者にキャラクター人形を連想させる。すなわち、このタオルは、見て楽しむことができるものである。
したがって、本考案によれば、吊り下げて携行できる構成を採りながら、見て楽しむことができるとともに、タオルとして充分に機能するタオルを提供することができる。
【図面の簡単な説明】
【００１２】
【図１】本考案の第１の実施の形態によるタオルを説明するための図で、同図（Ａ）はタオルの使用状態を示す正面図、同図（Ｂ）はキャラクター人形の正面図である。
【図２】第１の実施の形態によるタオル本体の正面図である。
【図３】タオルハンガーの正面図である。
【図４】タオルハンガーの背面図である。
【図５】図４におけるV−V線断面図である。
【図６】タオルハンガーを弾性変形させた状態を示す断面図である。
【図７】吊り下げ用金具の正面図である。
【図８】本考案の第２の実施の形態によるタオルを説明するための図で、同図（Ａ）はタオルの使用状態を示す正面図、同図（Ｂ）はキャラクター人形の頭部の正面図である。
【図９】第２の実施の形態によるタオル本体の正面図である。
【図１０】第２の実施の形態によるタオルハンガーの背面図で、同図はタオルハンガーに吊り下げ用金具を取り付けた状態で描いてある。
【考案を実施するための形態】
【００１３】
（第１の実施の形態）
以下、本考案に係るタオルの一実施の形態を図１〜図７によって詳細に説明する。この実施の形態によるタオルは、本考案の請求項１、請求項２および請求項４に記載した考案に係るものである。
【００１４】
図１（Ａ）に示すタオル１は、タオル本体２と、このタオル本体２を吊り下げるためのタオルハンガー３とを備えている。
前記タオル本体２は、図２に示すように、絵柄４が設けられた四角形の布によって形成されている。この実施の形態によるタオル本体２の形状は、正方形である。このタオル本体２における四箇所の角部のうちいずれか一つの角部２ａには、ハトメ金具５が取付けられている。
【００１５】
前記絵柄４は、キャラクター人形Ａ｛図１（Ｂ）参照｝に関連する絵柄である。キャラクター人形Ａは、胴体Ｂと、脚Ｃと、腕Ｄと、頭Ｅと、耳Ｆなどによって構成されている。この実施の形態による前記絵柄４には、前記キャラクター人形Ａの後ろ姿の首から下の一部が描かれている。詳述すると、絵柄４には、キャラクター人形Ａの胴体Ｂの一部と、脚Ｃの一部と、腕Ｄの一部とが描かれている。
【００１６】
タオル本体２における絵柄４の左右方向の位置は、図２に示すように、前記ハトメ金具５が上に位置する状態としたタオル本体２の左右方向の略中央部である。また、この絵柄４の上端部は、前記タオル本体２における前記ハトメ金具５を有する角部２ａに位置付けられている。
【００１７】
前記タオルハンガー３は、シリコンゴムによって所定の形状に成形されている。このタオルハンガー３の形状は、前記絵柄４に関連する前記キャラクター人形Ａの一部となる形状である。この実施の形態によるタオルハンガー３の形状は、図１に示すように、前記キャラクター人形Ａの頭Ｅと耳Ｆの形状である。すなわち、このタオルハンガー３は、前記キャラクター人形Ａの頭Ｅに相当する頭部３ａと、前記キャラクター人形Ａの耳Ｆに相当する耳部３ｂとを一体に成形することによって形成されている。
【００１８】
前記頭部３ａの上端部には、図４および図５に示すように、係合用突起６が設けられている。この係合用突起６は、後述する吊り下げ用金具７（図１および図７参照）をタオルハンガー３の上端部に設けるためのものである。
前記係合用突起６には、吊り下げ用金具７を通すための穴６ａが形成されている。この穴６ａは、係合用突起６を左右方向に貫通するように形成されている。
【００１９】
前記吊り下げ用金具７は、例えば使用者が背負うバッグ（図示せず）や、使用者のベルト（図示せず）などに掛けて取付けられるもので、いわゆるカラビナによって構成されている。この実施の形態による吊り下げ用金具７（カラビナ）は、Ｃ字状を呈する本体７ａと、この本体７ａに揺動可能に支持されて本体７ａの開放部分を開閉する揺動部材７とを備えている。前記本体７ａが前記穴６ａに通されることによって、吊り下げ用金具７がタオルハンガー３に取付けられる。
【００２０】
前記頭部３ａの下端部には、図４および図５に示すように、溝８が形成されているとともに、棒状部材９が設けられている。これらの溝８と棒状部材９は、タオル本体２をタオルハンガー３の下端部で着脱可能に保持するためのものである。前記溝８は、下方に向けて開放するように形成されているとともに、前記頭部３ａの下端部を左右方向に横切るように形成されている。この溝８の溝幅は、前記タオル本体２のハトメ金具５を有する角部２ａを挿入可能な幅に形成されている。
【００２１】
前記棒状部材９は、円柱状に形成されており、前記溝８の長手方向の略中央部を横切るように溝８内に架け渡されている。棒状部材９の一端部９ａは、図５および図６に示すように、タオルハンガー３における前記溝８の一方の側壁となる第１の板状部１１に一体に形成されている。前記溝８の他方の側壁となる第２の板状部１２には、前記棒状部材９の他端９ｂが挿抜可能に嵌合する凹部１３が形成されている。棒状部材９の前記他端部９ｂは、図５に示す自然状態においては前記凹部１３内に嵌合している。
【００２２】
前記第１の板状部１１と前記第２の板状部１２は、図６に示すように、使用者（図示せず）が指で掴んで溝８の溝幅が拡がる方向（図６においては左右方向）へ容易に弾性変形させることができるように形成されている。棒状部材９の前記他端部９ｂは、第１、第２の板状部１１，１２が弾性変形させられた変形状態においては、図６に示すように、前記凹部１３の外に出される。タオル本体２は、このように棒状部材９が凹部１３の外に出された状態でタオルハンガー３に対して着脱させられる。
【００２３】
タオル本体２をタオルハンガー３に保持させるためには、先ず、タオルハンガー３を上述した変形状態としてタオル本体２のハトメ金具５を前記溝８内に挿入し、ハトメ金具５の穴５ａに棒状部材９を通す。そして、第１、第２の板状部１２を自然状態となるように復帰させて棒状部材９の他端部９ｂを前記凹部１３に嵌合させる。
【００２４】
このように棒状部材９が凹部１３に嵌合することにより、ハトメ金具５が棒状部材９から外れることができなくなり、タオル本体２がタオルハンガー３に保持される。
タオル本体２をタオルハンガー３から取り外すためには、第１、第２の板状部１１，１２を上述したように弾性変形させた状態でタオル本体２を下方に引き、棒状部材９からハトメ金具５を外すことによって行う。
【００２５】
このように構成されたタオル１は、タオルハンガー３に吊り下げ用金具７を取付けるとともにタオル本体２を保持させ、吊り下げ用金具７を例えば使用者のバッグやベルトに掛けて使用する。タオル本体２をタオルハンガー３に保持させるにあたっては、前記棒状部材９をハトメ金具５に通して行う。
【００２６】
タオル本体２は、上述した使用状態においてタオルハンガー３に吊り下げられる。すなわち、この実施の形態によるタオル１は、タオル本体２をタオルハンガー３に吊り下げた状態で携行できるものである。
タオル本体２は、タオルハンガー３に吊り下げられることによって展開した状態になる。このため、例えば使用者が手を拭くときに拭き易いし、タオル本体２に吸い取られた水分が蒸発し易くなる。
【００２７】
タオル本体２は、前記ハトメ金具５を有する角部２ａが上に位置する状態でタオルハンガー３に吊り下げられる。このようにタオル本体２が吊り下げられると、タオルハンガー３の左右両端部が前方または後方に向けて折り畳まれ易い。タオル本体２の左右両端部がそれぞれ前方に向けて折り畳まれると、図１に示すように、タオル本体２の前記絵柄４が後方に向けて露出する。前記絵柄４は、キャラクター人形Ａに関連する絵柄であり、タオルハンガー３は、前記絵柄４に関連する前記キャラクター人形Ａの一部となる形状に形成されている。
【００２８】
このため、タオルハンガー３とタオル本体２は、これらを見た者にキャラクター人形Ａを連想させる。すなわち、このタオル１は、見て楽しむことができるものである。
したがって、この実施の形態によれば、吊り下げて携行できる構成を採りながら、見て楽しむことができるとともに、タオルとして充分に機能するタオルを提供することができる。
【００２９】
この実施の形態による前記絵柄４は、前記キャラクター人形Ａの首から下の後ろ姿である。前記タオルハンガー３の形状は、前記キャラクター人形Ａの頭Ｅの形状である。前記タオル本体２がタオルハンガー３に吊り下げられることにより、タオル本体２に描かれたキャラクター人形Ａの胴体Ｂに、タオルハンガー３からなる頭Ｅが接続される。このため、前記タオル本体２とタオルハンガー３は、キャラクター人形Ａを模倣した物を構成するようになる。
したがって、この実施の形態によるタオル１は、タオル本体２をタオルハンガー３に吊り下げて携行することが楽しくなるような感覚を使用者に与えることができるものとなる。
【００３０】
この実施の形態による前記タオル本体２は、四角形状に形成されている。前記タオル本体２における四箇所の角部のうちいずれか一つの角部２ａにはハトメ金具５が設けられている。前記タオルハンガー３における前記タオル本体２を着脱可能に保持する部分は、前記タオル本体２のハトメ金具５を有する角部２ａを挿入可能な溝８と、前記ハトメ金具５に挿入可能な太さに形成されて前記溝８内に架け渡された棒状部材９とによって構成されている。
【００３１】
この実施の形態においては、タオルハンガー３にタオル本体２を保持させた状態において前記棒状部材９がタオル本体２を貫通するから、タオル本体２が強固にタオルハンガー３に保持される。このため、この実施の形態によれば、タオル本体２で例えば手を強く拭いたとしてもタオル本体２がタオルハンガー３から容易に外れることはないから、使い勝手がよいタオルを提供することができる。
【００３２】
この実施の形態によるタオル本体２の絵柄４は、キャラクター人形Ａの後ろ姿の一部である。このため、キャラクター人形Ａの後ろ姿の全てを絵柄とする場合と較べると、タオル本体２を大きく形成することなく、前記後ろ姿を大きく描くことが可能になる。このようにキャラクター人形Ａの姿が大きく描かれていることにより、使う楽しみが増すようになる。
【００３３】
（第２の実施の形態）
本考案に係るタオルは図８〜図１０に示すように構成することができる。図８〜図１０において、前記図１〜図７によって説明したものと同一もしくは同等の部材については、同一符号を付し詳細な説明を適宜省略する。この実施の形態によるタオルは、本考案の請求項１、請求項３および請求項４に記載した考案に係るものである。
【００３４】
図８（Ａ）に示すタオル本体２の絵柄２１は、キャラクター人形Ａの顔Ｇ｛図８（ｂ）参照｝の一部が描かれている。この絵柄２１には、キャラクター人形Ａの目Ｈと鼻Ｉとが描かれている。
この実施の形態によるタオルハンガー３の形状は、キャラクター人形Ａの頭Ｅに設けられる装飾品Ｊの形状である。この装飾品Ｊは、図８および図１０に示すように、リボンである。
【００３５】
この実施の形態においても、タオルハンガー３の上端部には、図１０に示すように、吊り下げ用金具７を通すための係合用突起６が形成されている。また、タオルハンガー３の下端部には、タオル本体２を着脱可能に保持するための溝８が形成されているとともに、棒状部材９が設けられている。
【００３６】
この実施の形態によるタオル本体２がタオルハンガー３に吊り下げられると、図８（Ａ）に示すように、タオル本体２に描かれたキャラクター人形Ａの顔Ｇの上に、タオルハンガー３からなる装飾品Ｊ（リボン）が配置される。このため、前記タオル本体２とタオルハンガー３は、キャラクター人形Ａの顔Ｇと装飾品Ｊを含む頭Ｅを模倣した物を構成するようになる。
【００３７】
したがって、この実施の形態によるタオル１においても、タオル本体２をタオルハンガー３に吊り下げて携行する行為を使用者に楽しく感じさせることができるものとなる。
この実施の形態によるタオル本体２の絵柄２１は、キャラクター人形Ａの顔の一部である。このため、キャラクター人形Ａの顔Ｇの全てを絵柄２１とする場合と較べると、タオル本体２を大きく形成することなく、前記顔Ｇを大きく描くことが可能になる。このようにキャラクター人形Ａの顔Ｇが大きく描かれていることにより、使う楽しみが増すようになる。
【符号の説明】
【００３８】
１…タオル、２…タオル本体、２ａ…角部、３…タオルハンガー、４，２１…絵柄、５…ハトメ金具、７…吊り下げ用金具、８…溝、９…棒状部材、Ａ…キャラクター人形、Ｅ…頭、Ｇ…顔、Ｊ…装飾品。
【図１】
0003181842.tif 000003
【図２】
0003181842.tif 000004
【図３】
0003181842.tif 000005
【図４】
0003181842.tif 000006
【図５】
0003181842.tif 000007
【図６】
0003181842.tif 000008
【図７】
0003181842.tif 000009
【図８】
0003181842.tif 000010
【図９】
0003181842.tif 000011
【図１０】
0003181842.tif 000012